(57)【要約】【課題】サイドテーブルの組立及び収納が容易な配膳車を提供する。【解決手段】配膳車１０は、箱状の貯蔵室１２、及び、貯蔵室１２の側面に回動可能に設けられたサイドテーブル１６を有する配膳車１０であって、サイドテーブル１６に対して回動可能に設けられたアーム部５０と、貯蔵室１２の前面（側面）１４から前方（側方）に突出して設けられた支え部５２と、を備え、サイドテーブル１６は、アーム部５０の先端部５４が支え部５２に当接することで、サイドテーブル１６が貯蔵室１２の上面と面一の水平姿勢に支持される支持位置と、アーム部５０と支え部５２との当接を解除することで、サイドテーブル１６が回動可能となる解除位置との間を変位可能とされる。【選択図】図５
2019141229.tif 000002
【特許請求の範囲】
【請求項１】
箱状の貯蔵室、及び、前記貯蔵室の側面に回動可能に設けられたサイドテーブルを有する配膳車であって、
前記サイドテーブルに対して回動可能に設けられたアーム部と、
前記貯蔵室の側面から側方に突出して設けられた支え部と、を備え、
前記サイドテーブルは、
前記アーム部の先端部が前記支え部に当接することで、前記サイドテーブルが前記貯蔵室の上面と面一の水平姿勢に支持される支持位置と、
前記アーム部と前記支え部との当接を解除することで、前記サイドテーブルが回動可能となる解除位置との間を変位可能とされる配膳車。
【請求項２】
前記支え部は、
前記貯蔵室の側面から側方に突出する平面部と、
前記平面部の先端部から上方に突出し、さらにその上端から前記貯蔵室の側面方向に突出する引っかかり部と、を備え、
前記支持位置から前記解除位置への変位は、前記アーム部の先端部が前記貯蔵室の側面のある方向に押されている状態で行うことで、前記支持位置から前記解除位置への変位が可能とされており、
前記アーム部の先端部が前記貯蔵室の側面のある方向に押されていない状態では、前記アーム部の先端部が前記引っかかり部に当たり、前記支持位置から前記解除位置への変位が阻止される請求項１に記載の配膳車。
【請求項３】
前記支え部は、
前記貯蔵室の側面から側方に突出する平面部と、
前記平面部の基端部から上方に突出し、前記貯蔵室の側面に取付けられ、前記貯蔵室の側面を保護する保護部と、を有している請求項１又は請求項２に記載の配膳車。
【発明の詳細な説明】
【技術分野】
【０００１】
本発明は、配膳車に関する。
【背景技術】
【０００２】
従来から、盛り付け作業スペースを拡げるためのサイドテーブルを備えた配膳車が知られており、例えば、特許文献１に記載のものがある。特許文献１に記載の配膳車は、矩形箱状をなす断熱構造の本体と、本体の側面の上端位置に回動可能に設けられたテーブル（サイドテーブル）と、テーブルの裏面に設けられ、アングル状をなす受け部と、本体の側面の下方位置に回動可能に設けられ、略コ字形状をなす支え部材と、を備えている。
【０００３】
支え部材が先上がりに傾斜した支持姿勢を取ってその先端の当接部がテーブルの裏面の受け部に当てられることにより、テーブルが本体の上面と面一の水平姿勢に支持される。
【先行技術文献】
【特許文献】
【０００４】
【特許文献１】特開２００６−１９２１９３号公報
【発明の概要】
【発明が解決しようとする課題】
【０００５】
テーブルを本体と水平に支持させるには、支え部材を持ち上げて、テーブルの裏面にある受け部に、支え部材の当接部を当てる操作をする必要があるが、受け部がテーブルの裏面にあることから、受け部に支え部材の当接部を当てる操作が目視でし難く、テーブルを拡げるまでに時間がかかり、盛り付け作業の開始が遅れるという問題点がある。同様に、テーブルを畳む際も、テーブルの裏面を目視で確認し難く、テーブルの収納作業に時間がかかるという問題がある。また、支え部材の当接部をテーブルの受け部から外してテーブルを畳む際に、誤って支え部材を離してしまうと、支え部材が重力に引かれて回動し、本体の側面に衝突してしまい、本体の側面を傷めてしまうという問題がある。
【０００６】
本発明は、上記事情に鑑みてなされたもので、テーブルを本体と水平に支持させる操作を視覚的に行うことができ、且つ、テーブルを畳む際に、支え部材が本体の側面に衝突しない配膳車の提供を目的の一つとしている。
【課題を解決するための手段】
【０００７】
上記課題を解決するために、本発明の配膳車は、箱状の貯蔵室、及び、前記貯蔵室の側面に回動可能に設けられたサイドテーブルを有する配膳車であって、前記サイドテーブルに対して回動可能に設けられたアーム部と、前記貯蔵室の側面から側方に突出して設けられた支え部と、を備え、前記サイドテーブルは、前記アーム部の先端部が前記支え部に当接することで、前記サイドテーブルが前記貯蔵室の上面と面一の水平姿勢に支持される支持位置と、前記アーム部と前記支え部との当接を解除することで、前記サイドテーブルが回動可能となる解除位置との間を変位可能とされる。
【０００８】
貯蔵室の側面に、アーム部が当接する支え部を設ける構成とすることで、サイドテーブルを解除位置から支持位置に変位させる際、貯蔵室の側面を目視しながら行うことが可能となり、サイドテーブルの組立時間を短縮することができる。また、サイドテーブルを支持位置から解除位置にする際も、貯蔵室の側面を目視しながら支持位置から解除位置にすることが可能となり、サイドテーブルの収納時間を短縮することができる。
【０００９】
また、前記支え部は、前記貯蔵室の側面から側方に突出する平面部と、前記平面部の先端部から上方に突出し、さらにその上端から前記貯蔵室の側面方向に突出する引っかかり部と、を備え、前記支持位置から前記解除位置への変位は、前記アーム部の先端部が前記貯蔵室の側面のある方向に押されている状態で行うことで、前記支持位置から前記解除位置への変位が可能とされており、前記アーム部の先端部が前記貯蔵室の側面のある方向に押されていない状態では、前記アーム部の先端部が前記引っかかり部に当たり、前記支持位置から前記解除位置への変位が阻止される構成としても良い。
【００１０】
サイドテーブルが誤って上方に動いてしまっても、アーム部が引っかかり部の側面方向に突出する部位、及び、上方に突出する部位に当たるため、サイドテーブルが不意に支持位置から解除位置へ変位することを防ぐことができる。
【００１１】
また、前記支え部は、前記貯蔵室の側面から側方に突出する平面部と、前記平面部の基端部から上方に突出し、前記貯蔵室の側面に取付けられ、前記貯蔵室の側面を保護する保護部と、を有している構成としても良い。
【００１２】
サイドテーブルを支持位置から解除位置へ変位させる際、アーム部の先端部を貯蔵室の側面方向に押した時に、アーム部の先端部が保護部に当たることで、アーム部の先端部が貯蔵室の側面に当たることを防ぐことができる。また、サイドテーブルを解除位置から支持位置へ変位させる際、アーム部の先端部を貯蔵室の側面に近づけた時に、アーム部の先端部が保護部に当たることで、アーム部の先端部が貯蔵室の側面に当たることを防ぐことができる。以上により、アーム部の先端部が貯蔵室の側面に当たることで、貯蔵室の側面が傷つくことを防ぐことができる。
【発明の効果】
【００１３】
本発明によれば、サイドテーブルの組立及び収納が容易な配膳車を提供することができる。
【図面の簡単な説明】
【００１４】
【図１】配膳車の斜視図
【図２】配膳車の平面図
【図３】サイドテーブルが支持位置にある状態における、配膳車の斜視図
【図４】サイドテーブルが支持位置にある状態における、配膳車の斜視図
【図５】サイドテーブルが支持位置にある状態の側面図
【図６】アーム部が引っかかり部に引っかかった状態の側面図
【図７】サイドテーブルを支持位置から解除位置に変位させた状態の側面図
【図８】サイドテーブルが解除位置にある状態において、アーム部を手から離した状態の側面図
【図９】扉を外した状態における配膳車の斜視図
【図１０】ホテルパンを収容している状態を示す、貯蔵室の斜視図
【図１１】図１０の状態の貯蔵室を側面から視た図
【図１２】ホテルパンが傾いて収容されている状態を示す、貯蔵室の側面図
【図１３】ヒータコードの取付け位置を示す、配膳車の斜視図
【図１４】ファンの風の流れを示す、貯蔵室の側断面図
【図１５】ヒータパネルを取り外した状態における、貯蔵室の斜視図
【図１６】固定孔が開けられたヒータパネルを示す、貯蔵室の斜視図
【図１７】ヒータ固定用ブラケットの取付け位置を示す、貯蔵室の斜視図
【図１８】ヒータ固定用ブラケットの取付け位置を示す、貯蔵室の側断面図
【図１９】機械室内の前面からブラケットを取り外した状態を示す図
【図２０】コード保持部がブラケットに固定されている状態を示す図
【図２１】支え部の斜視図
【図２２】後側レール部の斜視図
【図２３】樹脂コーティングが施されていることを示す、後側レール部の側面図
【図２４】固定孔が開けられたヒータパネルにコードヒータを取付けた状態の、ヒータパネルの図
【図２５】参考例における配膳車の斜視図
【図２６】機械室内における、凝縮器ファンによる風の流れを示す図
【発明を実施するための形態】
【００１５】
本実施形態の配膳車１０について、図１から図２４を参照しつつ説明する。以降の説明では、図１のＸ方向を前方、Ｚ方向を上方、Ｙ方向を左方とする。配膳車１０は、所謂、温冷カートであって、図９に示すように、左面が開口する断熱箱体の貯蔵室１２と、貯蔵室１２の前面（側面）１４に回動可能に設けられたサイドテーブル１６と、を備えている。
【００１６】
貯蔵室１２は、図１１に示すように、前方側に配された冷蔵室１８と、後方側に配された温蔵室２０とから構成されている。また、冷蔵室１８の下方には、左面が開口する機械室２２が設けられており、機械室２２には、圧縮機２４を有する冷凍機器類２６が収容されている。機械室２２の開口部には、図１３に示すように、機械室用扉２８が取付けられており、冷蔵室１８及び温蔵室２０の開口部には、図１に示すように、それぞれ扉３０が回動可能に取付けられている。
【００１７】
貯蔵室１２の上面には、図１に示すように、板状の天板３２が設けられており、天板３２の後端側には、ハンドル３４が取付けられている。ユーザはハンドル３４を手で握りつつ、押しまたは引き操作して配膳車１０を走行させる。
【００１８】
貯蔵室１２の下面には、図４に示すように、車輪の向きを変更可能な自在輪３６、車輪の向きが固定されている固定輪３８、配膳車１０を制動可能な踏圧式のペダルロック４０、及び、障害物等に衝突時の衝撃を吸収するバンパ４２が設けられている。
【００１９】
バンパ４２は、貯蔵室１２の下面の四隅にそれぞれ設けられている。４つのバンパ４２のうち、前側２つのバンパ４２は、図２に示すように、平面視上、貯蔵室１２の前端より前方に突出しており、後側２つのバンパ４２は、貯蔵室１２の後端より後方に突出している。
【００２０】
自在輪３６は、図４に示すように、貯蔵室１２の下面の前方側に配され、左右方向の中央に位置する前側自在輪４４と、貯蔵室１２の下面の後方側に配された左右一対の後側自在輪４６と、から構成されている。固定輪３８は、前側自在輪４４と後側自在輪４６との間に、左右一対設けられており、一対の後側自在輪４６よりも前側自在輪４４に近い位置に配されている。
【００２１】
サイドテーブル１６は、図４に示すように、貯蔵室１２の前面１４（即ち、冷蔵室１８の前面）に対して回動可能に取付けられた板状のサイドテーブル本体４８と、サイドテーブル本体４８に対して回動可能に取付けられたアーム部５０と、を備えている。また、貯蔵室１２の前面１４には、アーム部５０と当接可能な支え部５２が設けられている。
【００２２】
アーム部５０は、図４に示すように、略コ状をなしており、左右方向に長い棒状の先端部５４と、先端部５４の両端からサイドテーブル本体４８に向かう方向にそれぞれ突出する一対の側部５６と、一対の側部５６から対向する側部５６と反対の方向にそれぞれ突出する一対の回動軸部５８と、から構成されている。
【００２３】
サイドテーブル本体４８の裏面には、図４に示すように、前後方向に長い板状をなす左右一対の取付板６０が設けられており、一対の取付板６０には、挿通孔６２が開口して設けられている。それぞれの挿通孔６２には、アーム部５０の一対の回動軸部５８が回転可能に挿通されている。
【００２４】
支え部５２は、図３、図２１に示すように、平面部６４と、引っかかり部６６と、一対の保護部６８とから構成されている。平面部６４は、左右方向に長い板状をなし、貯蔵室１２の前面１４から前方に突出して設けられている。引っかかり部６６は、平面部６４の先端部から上方に突出する上方突出板７０と、上方突出板７０の上端の中央部から後方（即ち、貯蔵室１２の前面１４側）に向かって突出する後方突出板７２と、から構成されている。一対の保護部６８は、平面部６４の基端部の前側及び後側から、それぞれ上方に突出して設けられており、貯蔵室１２の前面１４にネジ等で固定される。
【００２５】
サイドテーブル１６は、図５に示すように、アーム部５０が支え部５２に当接することで、サイドテーブル本体４８を下方から支持する支持位置と、図７に示すように、アーム部５０と支え部５２との当接を解除することで、サイドテーブル本体４８が回動可能となる解除位置との間を変位可能となっている。
【００２６】
サイドテーブル１６が支持位置にある状態では、図５に示すように、アーム部５０の先端部５４が、支え部５２の平面部６４及び保護部６８に当接している。これにより、サイドテーブル本体４８は、天板３２の上面と面一の水平姿勢になるように支持されている。
【００２７】
図６に示すように、サイドテーブル１６が支持位置にある状態で、サイドテーブル本体４８を上方に変位させると、アーム部５０の先端部５４が前方に変位し、引っかかり部６６の上方突出板７０に後方から当接する。さらに、サイドテーブル本体４８を上方に変位させると、アーム部５０の先端部５４が、上方に変位して、引っかかり部６６の後方突出板７２に下方から当接し、サイドテーブル本体４８の上方への変位が阻止される。これにより、サイドテーブル１６が、不意に支持位置から解除位置へ変位することが抑制される。
【００２８】
サイドテーブル１６を支持位置から解除位置へ変位させる際は、アーム部５０を後方（即ち、貯蔵室１２の前面１４側）に押した状態で、サイドテーブル本体４８を上方に変位させる。すると、図７に示すように、アーム部５０の先端部５４が上方に変位し、後方突出板７２の端部と貯蔵室１２の前面１４との間を通過して、アーム部５０の先端部５４と支え部５２との当接が解除される。これにより、サイドテーブル本体４８は、上下方向に回動可能となり、サイドテーブル１６は解除位置となる。
【００２９】
アーム部５０の先端部５４が、後方突出板７２の端部と貯蔵室１２の前面１４との間を通過した状態（即ち、図７に示す状態）において、アーム部５０を手から離すと、図８に示すように、アーム部５０は、重力により前方に回動し、サイドテーブル１６にぶら下がった状態となる。このように、サイドテーブル１６が解除位置にある状態で、不意にアーム部５０が手から離れても、アーム部５０はサイドテーブル１６にぶら下がった状態となるため、貯蔵室１２等にアーム部５０が当たることはない。
【００３０】
サイドテーブル１６を解除位置から支持位置へ変位させる際は、先ず、図７に示すように、アーム部５０の先端部５４を、支え部５２の保護部６８に押し当てる。次に、サイドテーブル本体４８を下方に変位させると、図５に示すように、アーム部５０の先端部５４は、下方に変位して支え部５２の平面部６４及び保護部６８に当接する。これにより、サイドテーブル１６は支持位置となる。
【００３１】
温蔵室２０内の前面には、図１５に示すように、前後方向に長い板状をなし、上面が下方に傾斜する２つのエアガイド７４が設けられている。２つのエアガイド７４は、上下方向に所定の間隔を空けて配されている。また、エアガイド７４の右方には、図１３、図１４に示すように、温蔵室２０内を加熱するヒータパネル７６が設けられている。
【００３２】
温蔵室２０内の上面には、図１５に示すように、送風口７８、及び、吸気口８０が開口して設けられており、また、送風口７８及び吸気口８０の上方には、図１４に示すように、温蔵室２０の内気を循環させるファン８２が設けられている。送風口７８及び吸気口８０は、ヒータパネル７６を挟んで前後に配されている。ファン８２が稼働すると、温蔵室２０の内気は、吸気口８０から吸気され、送風口７８から温蔵室２０内に送風される。
【００３３】
送風口７８から送風された風は、図１４に示すように、ヒータパネル７６の熱により温められながら、温蔵室２０の左面とヒータパネル７６との間を通過し、さらに、ヒータパネル７６の下端部と、温蔵室２０の下面との間から、ヒータパネル７６の後方の空間に排出される。このとき、送風口７８から送風された風は、エアガイド７４の上面に当たり、ヒータパネル７６側に案内されるため、効率的に温蔵室２０内が加熱されるようになり、ヒータパネル７６の温度上昇を抑えることができる。また、ヒータパネル７６の温度上昇が抑えられることで、ヒータパネル７６の熱変形を抑えることができる。
【００３４】
温蔵室２０内の前面、及び、冷蔵室１８内の前面には、図１０に示すように、上下方向に長い板状をなす前側レール取付部８４が、左右一対設けられている。一対の前側レール取付部８４には、上下方向に所定の間隔を空けて、複数の矩形状の取付孔が、開口して設けられており、矩形状の取付孔には、左右方向に長い形状をなす前側レール部８６が取付け可能となっている。
前側レール取付部８４と同様に、温蔵室２０内の後面、及び、冷蔵室１８内の後面にも、左右一対の後側レール取付部８８が設けられており、左右一対の後側レール部９０には、左右方向に長い形状をなす後側レール部９０が取付け可能となっている。
【００３５】
後側レール部９０は、図２２に示すように、金属板を曲げ加工することで形成されており、左右方向に長い板状をなすスライド部９２と、スライド部９２の右端から上方に突出する奥壁９４と、スライド部９２の後端から上方に突出する側壁９６と、側壁９６の上端から前方に突出する上方変位規制壁９８と、から構成されている。また、後側レール部９０は、図２３に示すように、全体に樹脂コーティング１０２が施されている。
【００３６】
後側レール部９０の側壁９６には、図２２、図２３に示すように、側壁９６の一部を略コ状に切欠いて、さらに切欠き部を後方に叩き出して形成された、左右一対の取付片１００が設けられている。一対の取付片１００を、一対の後側レール取付部８８の取付孔にそれぞれ挿通することで、後側レール部９０は、後側レール部９０に取付けられる。
【００３７】
前側レール部８６は、図１１に示すように、後側レール部９０を左右反転した形状をなしており、それ以外は、後側レール部９０と同じ構成となっている。
【００３８】
前側レール部８６及び後側レール部９０を、温蔵室２０内の前側レール取付部８４及び後側レール取付部８８にそれぞれ取付け後に、図１０に示すように、金属製のホテルパン１０４が、温蔵室２０の左方から収容される。ホテルパン１０４は、前側レール取付部８４のスライド部９２と上方変位規制壁９８との間、及び、後側レール取付部８８のスライド部９２と上方変位規制壁９８との間に挿通される。このとき、ホテルパン１０４の下面が、前側レール部８６及び後側レール部９０のスライド部９２の上面と摺動することとなるが、前側レール部８６及び後側レール部９０には、図２３に示すように、樹脂コーティング１０２が施されているため、金属同士の摺動による摩耗が抑制され、また、金属同士の摺動によりホテルパン１０４が傷つくことが抑制される。また、ホテルパン１０４の収容の際に、金属同士が擦れ合う不快な感触を抑えることができ、また、金属同士が擦れ合う際に生じる異音を抑えることができる。また、金属同士が摺動する際に生じる摩擦と比較して、金属と樹脂とが摺動する際に生じる摩擦の方が小さいことから、ホテルパン１０４の出し入れ時の操作力が軽減される。
【００３９】
ホテルパン１０４が温蔵室２０内に収容されると、図１１に示すように、スライド部９２の上面がホテルパン１０４の下面に面で接触することで、ホテルパン１０４はスライド部９２に下方から支えられる。
【００４０】
図１２に示すように、ホテルパン１０４の左端側が下方に傾いた状態で、ホテルパン１０４を温蔵室２０内に収容されると、ホテルパン１０４の上端が上方変位規制壁９８に当たることで、ホテルパン１０４の下面が、スライド部９２の前端側の摺動面１０６と強く摺動する。これにより、スライド部９２の、図２２に示す摺動面１０６の摩耗が進むこととなる。しかしながら、スライド部９２の摺動面１０６は面で摩耗が進むことから、ホテルパン１０４を繰り返し出し入れしたとしても、摺動面１０６の摩耗によりスライド部９２が破断することが抑えられる。
【００４１】
ヒータパネル７６の裏面には、図１３に示すように、通電させることで発熱するコードヒータ１０８が、上下にジグザグ状をなして貼り付けられている。コードヒータ１０８は、ヒータパネル７６の中央の位置には這わせておらず、その位置には、図２４に示すように、必要に応じて、固定孔１１０が設けられる。固定孔１１０が設けられた場合、図１７に示すように、温蔵室２０内の前面に略コ状をなすヒータ固定用ブラケット１４６を設け、ヒータパネル７６の前面側からヒータ固定ネジ１４８を、固定孔１１０及びヒータ固定用ブラケット１４６に挿通し、ヒータパネル７６を固定する。これにより、ヒータパネル７６が熱膨張しても、中央部が後方に膨らむことが抑制され、ヒータパネル７６と前側スライド部９２とが接触することを抑制できる。また、ヒータパネル７６のコードヒータ１０８が這わせていない中央位置に、上下方向に長い冶具を置くことが可能となり、コードヒータを張り付ける作業をする際にこの冶具を置くことで、コードヒータを張り付ける際のガイドにすることができる。
機械室２２の前面の右上側には、図１に示すように、電源コード１１２を巻き付けて収納可能な巻付部１１４が設けられており、また、機械室２２の前面の左下側には、電源コード１１２が挿通されるコード挿通孔１１６が開口して設けられている。
【００４２】
機械室２２内のコード挿通孔１１６の後方には、図１０、図１９、図２０に示すように、円筒状をなし、電源コード１１２を保持するコード保持部１１８が設けられており、コード保持部１１８は、ブラケット１２０により固定されている。コード保持部１１８は、所謂スーパーロックであって、円筒部に挿通された電源コード１１２を締め付けることで、電源コード１１２が前後方向に抜けることを抑制する。
【００４３】
ブラケット１２０は、図１９に示すように、開口部を有する板状をなし、開口部にコード保持部１１８を挿通して固定可能なブラケット本体１２２と、ブラケット本体１２２の左端及び右端から前方に突出する一対のオフセット部１２４と、一対のオフセット部１２４の先端から、対向するオフセット部１２４と反対の方向にそれぞれ突出する一対の取付部１２６と、から構成されている。ブラケット１２０の取付部１２６にはネジ穴が設けられており、ブラケット１２０は機械室２２内の前面にネジで固定される。電源コード１１２が断線等した際は、ブラケット１２０を取り外し、電源コード１１２の交換作業を行う。
【００４４】
コード保持部１１８は、図１９、図２０に示すように、ブラケット１２０のオフセット部１２４によって、コード挿通孔１１６より後方にオフセットされている。これにより、電源コード１１２を巻付部１１４に巻き付けて収容する際に、図２に示すように、電源コード１１２は、平面視上、前側のバンパ４２の前端よりも後方側に収まるようになるため、配膳車１０の走行時に電源コード１１２が障害物に当たって損傷することが抑制される。
【００４５】
機械室２２の開口部の上端付近には、図１０に示すように、左右方向に長いノルシール１３２が貼られており、ノルシール１３２の下方には、左右方向に長い樋形状の樋部１３４が設けられている。また、樋部１３４の後端部の下方には、ＥＬＢ（Ｅａｒｔｈ  Ｌｅａｋａｇｅ  Ｃｉｒｃｕｉｔ  Ｂｒｅａｋｅｒ）ボックス１２８が設けられており、ＥＬＢボックス１２８の左面には、ブレーカスイッチ１３０が設けられている。ブレーカスイッチ１３０には、防水構造が施されている。
【００４６】
冷蔵室１８を水かけ洗浄すると、機械室用扉２８の上端と、機械室２２の開口部との間の隙間から水が浸入することとなるが、ノルシール１３２によってその隙間が塞がれているため、機械室２２内への水の浸入は抑制される。しかしながら、完全に水の浸入を防ぐことはできず、その一部は、ノルシール１３２の下方にある樋部１３４に流れ落ちる。樋部１３４に流れ落ちた水は、図１０に示すように、前方向の経路Ａ及び後方向の経路Ｂの少なくとも一方に流れる。経路Ａに流れた水は、樋部１３４の前端から、機械室２２内の前面に沿って下方に流れ落ちる。また、経路Ｂに流れた水は、樋部１３４の後端から、ＥＬＢボックス１２８の上面に流れ落ち、さらに、ＥＬＢボックス１２８の左面に沿って下方に流れ落ちる。このように、樋部１３４を設けることで、樋部１３４に流れ落ちた水は経路Ａ及び経路Ｂの少なくとも一方に流れるため、機械室２２の内部の冷凍機器類２６のあるエリアに水が浸入することが抑制される。また、経路Ａに流れた水は機械室２２内の前面に沿って下方に流れ落ち、経路Ｂに流れた水は、ＥＬＢボックス１２８の左面に沿って下方に流れ落ちるため、水飛沫の発生が抑制される。これにより、水飛沫が冷凍機器類２６の冷凍配管にかかることにより、冷凍配管が腐食することが抑制される。また、樋部１３４は樋形状をなしているため、強度がまし、ＥＬＢボックス１２８のブレーカスイッチ１３０の撓みが少なくなり、ブレーカスイッチ１３０の操作性が向上する。
【００４７】
本実施形態によれば、以下の作用、効果を奏する。
本実施形態の配膳車１０は、箱状の貯蔵室１２、及び、貯蔵室１２の側面に回動可能に設けられたサイドテーブル１６を有する配膳車１０であって、サイドテーブル１６に対して回動可能に設けられたアーム部５０と、貯蔵室１２の前面（側面）１４から前方（側方）に突出して設けられた支え部５２と、を備え、サイドテーブル１６は、アーム部５０の先端部５４が支え部５２に当接することで、サイドテーブル１６が貯蔵室１２の上面と面一の水平姿勢に支持される支持位置と、アーム部５０と支え部５２との当接を解除することで、サイドテーブル１６が回動可能となる解除位置との間を変位可能とされる。
【００４８】
本実施形態によれば、貯蔵室１２の前面（側面）１４に、アーム部５０が当接する支え部５２を設ける構成とすることで、サイドテーブル１６を解除位置から支持位置に変位させる際、貯蔵室１２の前面（側面）１４を目視しながら行うことが可能となり、サイドテーブル１６の組立時間を短縮することができる。また、サイドテーブル１６を支持位置から解除位置にする際も、貯蔵室１２の前面（側面）１４を目視しながら支持位置から解除位置にすることが可能となり、サイドテーブル１６の収納時間を短縮することができる。
【００４９】
また、支え部５２は、貯蔵室１２の前面（側面）１４から前方（側方）に突出する平面部６４と、平面部６４の先端部から上方に突出し、さらにその上端から貯蔵室１２の前面（側面）１４方向に突出する引っかかり部６６と、を備え、支持位置から解除位置への変位は、アーム部５０の先端部５４が貯蔵室１２の前面（側面）１４のある方向に押されている状態で行うことで、支持位置から解除位置への変位が可能とされており、アーム部５０の先端部５４が貯蔵室１２の前面（側面）１４のある方向に押されていない状態では、アーム部５０の先端部５４が引っかかり部６６に当たり、支持位置から解除位置への変位が阻止される構成としても良い。
【００５０】
サイドテーブル１６が誤って上方に動いてしまっても、アーム部５０が引っかかり部６６の後方突出板（側面方向に突出する部位）７２、及び、上方突出板（上方に突出する部位）７０に当たるため、サイドテーブル１６が不意に支持位置から解除位置へ変位することを防ぐことができる。
【００５１】
また、支え部５２は、貯蔵室１２の前面（側面）１４から前方（側方）に突出する平面部６４と、平面部６４の基端部から上方に突出し、貯蔵室１２の前面（側面）１４に取付けられ、貯蔵室１２の前面（側面）１４を保護する保護部６８と、を有している構成としても良い。
【００５２】
サイドテーブル１６を支持位置から解除位置へ変位させる際、アーム部５０の先端部５４を貯蔵室１２の前面（側面）１４方向に押した時に、アーム部５０の先端部５４が保護部６８に当たることで、アーム部５０の先端部５４が貯蔵室１２の前面（側面）１４に当たることを防ぐことができる。また、サイドテーブル１６を解除位置から支持位置へ変位させる際、アーム部５０の先端部５４を貯蔵室１２の前面（側面）１４に近づけた時に、アーム部５０の先端部５４が保護部６８に当たることで、アーム部５０の先端部５４が貯蔵室１２の前面（側面）１４に当たることを防ぐことができる。以上により、アーム部５０の先端部５４が貯蔵室１２の前面（側面）１４に当たることで、貯蔵室１２の前面（側面）１４が傷つくことを防ぐことができる。
【００５３】
＜参考例＞
図２５、図２６を参照して参考例を説明する。
本参考例の配膳車１０Ａは、図２５に示すように、箱状の貯蔵室１２Ａと、冷凍機器類２６Ａが収容された機械室２２Ａと、を備えている。
【００５４】
機械室２２Ａの右面には、横長の吸込口１３６が複数開口して設けられており、機械室２２Ａの前面には、縦長の吹出口１３８が複数開口して設けられている。隣り合う吹出口１３８の間の羽板１４０は、図２６に示すように、左方（即ち、吹出口１３８から視て、吸込口１３６の反対の方向）に傾斜しており、吹出口１３８は、全体としてルーバー状をなしている。
【００５５】
冷凍機器類２６Ａは、図２６に示すように、冷媒を圧縮する圧縮機２４Ａと、冷媒を凝縮する凝縮器１４２と、凝縮器１４２を空冷する凝縮器ファン１４４と、を備えている。凝縮器１４２及び凝縮器ファン１４４は、吸込口１３６の左方に配されており、圧縮機２４Ａは、吹出口１３８の後方に配されている。
【００５６】
凝縮器ファン１４４が作動すると、外気が吸込口１３６から取込まれ、凝縮器１４２に送風される。その後、凝縮器ファン１４４から送風された風は、機械室２２内の左面に当たり、前方の吹出口１３８から排出される。この時、吹出口１３８はルーバー状をなしていることから、凝縮器ファン１４４からの風は左方に傾斜する羽板１４０によって外部に案内され、凝縮器ファン１４４からの風の排出が促進される。これにより、機械室２２内に熱が籠りにくくなり、凝縮器１４２の放熱効率が向上する。また、吹出口１３８はルーバー状をなしているため、外部から機械室２２内が視認され難くなっている。
【００５７】
＜他の実施形態＞
本発明は上記記述及び図面によって説明した実施形態に限定されるものではなく、例えば次のような実施形態も本発明の技術的範囲に含まれる。
（１）本実施形態では、サイドテーブル１６は貯蔵室１２の前面１４に回動可能に取付けられる構成としたが、例えば、貯蔵室１２の右面に取付ける構成としても良い。
（２）本実施形態では、配膳車１０は温冷カートとしたが、温冷機能を有さない通常の配膳車に本実施形態のサイドテーブル１６を適用しても良い。
（３）本実施形態のアーム部５０は、略コ状をなす構成としたが、例えば、Ｌ字状をなす構成としても良い。
【符号の説明】
【００５８】
１０…配膳車
１２…貯蔵室
１４…前面（側面）
１６…サイドテーブル
５０…アーム部
５４…先端部
５２…支え部
６４…平面部
６６…引っかかり部
６８…保護部
【図１】
2019141229.tif 000003
【図２】
2019141229.tif 000004
【図３】
2019141229.tif 000005
【図４】
2019141229.tif 000006
【図５】
2019141229.tif 000007
【図６】
2019141229.tif 000008
【図７】
2019141229.tif 000009
【図８】
2019141229.tif 000010
【図９】
2019141229.tif 000011
【図１０】
2019141229.tif 000012
【図１１】
2019141229.tif 000013
【図１２】
2019141229.tif 000014
【図１３】
2019141229.tif 000015
【図１４】
2019141229.tif 000016
【図１５】
2019141229.tif 000017
【図１６】
2019141229.tif 000018
【図１７】
2019141229.tif 000019
【図１８】
2019141229.tif 000020
【図１９】
2019141229.tif 000021
【図２０】
2019141229.tif 000022
【図２１】
2019141229.tif 000023
【図２２】
2019141229.tif 000024
【図２３】
2019141229.tif 000025
【図２４】
2019141229.tif 000026
【図２５】
2019141229.tif 000027
【図２６】
2019141229.tif 000028